(57)【要約】【課題】食道、胃、腸又は結腸の１つ又は複数における少なくとも１つの粘膜領域に関連する血中酸素濃度を検出するために、食道、胃、腸又は結腸いずれか１つ又は複数に挿入するのに適した装置を提供する。【解決手段】柔軟で細長い本体３と血中酸素濃度検出ユニット４とを備える装置。血中酸素濃度検出ユニットは、本体に配置された１つ又は複数の血中酸素濃度検出モジュール４２を有する。血中酸素濃度検出モジュールは、該モジュール付近にある１つ又は複数の粘膜領域の血中酸素濃度に関連する１つ又は複数の信号を生成することができる。【選択図】図２
2014039822.tif 000002
【特許請求の範囲】
【請求項１】
食道、胃、腸又は結腸の１つ又は複数における少なくとも１つの粘膜領域に関連する血中酸素濃度を検出するために、食道、胃、腸又は結腸いずれか１つ又は複数に挿入するのに適した装置であって、
柔軟かつ細長い本体と、
前記本体に配置された少なくとも１つの血中酸素濃度検出モジュールを有し、前記血中酸素濃度検出モジュールが、該モジュール付近の１つ又は複数の粘膜領域の血中酸素濃度に関連する信号を生成することができる血中酸素濃度検出ユニットとを備えることを特徴とする装置。
【請求項２】
前記血中酸素濃度検出ユニットが更に、前記血中酸素濃度検出モジュールにより生成された前記信号を送るために前記血中酸素濃度検出モジュールに接続された信号線を有することを特徴とする請求項１に記載の装置。
【請求項３】
前記血中酸素濃度検出モジュールが、近赤外光及び／又は赤色光を前記血中酸素濃度検出モジュール付近の前記粘膜領域に発することができる少なくとも１つの発光素子と、前記信号を生成するように、前記血中酸素濃度検出モジュール付近の前記粘膜領域により散乱された近赤外光及び／又は赤色光を感知することができる少なくとも１つの光学センサーとを備えることを特徴とする請求項１に記載の装置。
【請求項４】
前記血中酸素濃度検出モジュールが複数の前記発光素子を有し、前記発光素子及び前記光学センサーが間隔をおいて配置されていることを特徴とする請求項３に記載の装置。
【請求項５】
前記血中酸素濃度検出ユニットに電気的に接続され、前記本体の外側に配置され、前記血中酸素濃度検出モジュールの前記発光素子のそれぞれを駆動して前記近赤外光及び／又は赤色光を発することができる発光素子駆動モジュールを有するマイクロプロセッシングユニットと、前記血中酸素濃度検出モジュールの前記光学センサーにより生成される前記信号を受信することができる信号受信モジュールと、前記発光素子駆動モジュール及び前記信号受信モジュールにその動作を制御するために電気的に接続され、前記信号受信モジュールから前記信号を受け取り、この受け取った前記信号を分析することにより、前記血中酸素濃度検出モジュール付近の前記粘膜領域の血中酸素濃度に関連する血中酸素濃度データを生成するマイクロプロセッシングモジュールとを備えることを特徴とする請求項４に記載の装置。
【請求項６】
前記マイクロプロセッシングユニットが更に、ユーザーへの通知のために前記血中酸素濃度データを出力するために前記マイクロプロセッシングモジュールに電気的に接続された出力モジュールを備えることを特徴とする請求項５に記載の装置。
【請求項７】
前記マイクロプロセッシングユニットが更に、前記血中酸素濃度データを無線で送るために前記マイクロプロセッシングモジュールに電気的に接続された無線通信モジュールを有することを特徴とする請求項５に記載の装置。
【請求項８】
前記マイクロプロセッシングユニットが更に、前記マイクロプロセッシングモジュールに電気的に接続され、前記マイクロプロセッシングモジュールを制御するべくユーザーにより操作可能なオペレーティングモジュールを有することを特徴とする請求項５に記載の装置。
【請求項９】
前記血中酸素濃度検出モジュールが複数の前記光学センサーを有し、前記発光素子及び前記光学センサーが間隔を置いて配置されていることを特徴とする請求項３に記載の装置。
【請求項１０】
前記血中酸素濃度検出ユニットに電気的に接続され、前記本体の外側に配置され、前記血中酸素濃度検出モジュールの前記発光素子を駆動して前記近赤外光及び／又は赤色光を発することができる発光素子駆動モジュールを有するマイクロプロセッシングユニットと、前記血中酸素濃度検出モジュールの前記光学センサーのそれぞれにより生成される前記信号を受信することができる信号受信モジュールと、前記発光素子駆動モジュール及び前記信号受信モジュールにその動作を制御するために電気的に接続され、前記信号受信モジュールから前記信号を受け取り、この受け取った前記信号を分析することにより、前記血中酸素濃度検出モジュール付近の前記粘膜領域の血中酸素濃度に関連する血中酸素濃度データを生成するマイクロプロセッシングモジュールとを備えることを特徴とする請求項９に記載の装置。
【請求項１１】
前記マイクロプロセッシングユニットが更に、ユーザーへの通知のために前記血中酸素濃度データを出力するために前記マイクロプロセッシングモジュールに電気的に接続された出力モジュールを備えることを特徴とする請求項１０に記載の装置。
【請求項１２】
前記マイクロプロセッシングユニットが更に、前記血中酸素濃度データを無線で送るために前記マイクロプロセッシングモジュールに電気的に接続された無線通信モジュールを有することを特徴とする請求項１０に記載の装置。
【請求項１３】
前記マイクロプロセッシングユニットが更に、前記血中酸素濃度データを記憶するために前記マイクロプロセッシングモジュールに電気的に接続された記憶モジュールを有することを特徴とする請求項１０に記載の装置。
【請求項１４】
前記マイクロプロセッシングユニットが更に、前記マイクロプロセッシングモジュールに電気的に接続され、前記マイクロプロセッシングモジュールの動作を制御するべくユーザーにより操作可能なオペレーティングモジュールを有することを特徴とする請求項１０に記載の装置。
【請求項１５】
前記本体が柔軟な光透過性材料で形成され、前記血中酸素濃度検出ユニットの前記血中酸素濃度検出モジュールが前記本体内に埋め込まれていることを特徴とする請求項３に記載の装置。
【請求項１６】
前記血中酸素濃度検出ユニットが更に、前記血中酸素濃度検出モジュールを取り付けたフレキシブル回路基板と、前記血中酸素濃度検出モジュールにより生成される前記信号を送信するために前記血中酸素濃度検出モジュールに接続された信号線とを有し、前記フレキシブル回路基板と前記血中酸素濃度検出モジュールとが前記本体内に埋め込まれ、前記信号線が部分的に前記本体内に埋め込まれていることを特徴とする請求項１５に記載の装置。
【請求項１７】
前記本体が筒状をなすことを特徴とする請求項１に記載の装置。
【請求項１８】
前記血中酸素濃度検出ユニットが、前記血中酸素濃度検出モジュール付近の複数の粘膜領域にそれぞれ関連する複数の信号を生成するために前記本体の長手方向に沿って間隔を置いて配置された複数の前記血中酸素濃度検出モジュールを有することを特徴とする請求項１に記載の装置。
【請求項１９】
前記血中酸素濃度検出モジュールのそれぞれが、近赤外光及び／又は赤色光を前記血中酸素濃度検出モジュール付近の前記粘膜領域に発することができる少なくとも１つの発光素子と、前記信号を生成するように、前記粘膜領域により散乱された近赤外光及び／又は赤色光を感知することができる少なくとも１つの光学センサーとを備えることを特徴とする請求項１８に記載の装置。
【請求項２０】
前記血中酸素濃度検出ユニットに電気的に接続され、前記本体の外側に配置され、各前記血中酸素濃度検出モジュールの前記発光素子を駆動して前記近赤外光及び／又は赤色光を発することができる発光素子駆動モジュールを有するマイクロプロセッシングユニットと、前記各血中酸素濃度検出モジュールの前記光学センサーにより生成される前記信号を受信することができる信号受信モジュールと、前記発光素子駆動モジュール及び前記信号受信モジュールにその動作を制御するために電気的に接続され、選択した１つの前記血中酸素濃度検出モジュールの前記光学センサーにより生成された前記信号を前記信号受信モジュールから受け取り、前記信号を分析することにより、前記選択した１つの血中酸素濃度検出モジュールの前記光学センサー付近の前記粘膜領域の血中酸素濃度に関連する血中酸素濃度データを生成するマイクロプロセッシングモジュールとを備えることを特徴とする請求項１９に記載の装置。
【発明の詳細な説明】
【技術分野】
【０００１】
本発明は、一般に血中酸素濃度検出器に関し、より詳細に言えば、内臓の血中酸素濃度を検出するための装置に関する。
【背景技術】
【０００２】
食道切除術又は胃切除術を行う場合、残った食道を胃につなぎ、残った胃を腸若しくは結腸につなぎ、又は食道を腸若しくは結腸につなぐことは標準である。例えば、図１を参照すると、破線で示される食道１００の一部と胃１０３の一部とからなる部分１０１を食道切除において取り除き、次に食道１００の残った部分１０４を胃１０３の残った部分１０７につなぐ。
【発明の概要】
【発明が解決しようとする課題】
【０００３】
食道切除後又は胃切除後の患者について前記器官の吻合部１０５における粘膜の血液送達をモニターすることは重要である。粘膜の血液送達の異常は、吻合部１０５及び胃１０３の閉鎖線１０６に近い組織に虚血を生じさせ、前記組織又は関連する器官の虚血性壊死又は炎症を引き起こす虞がある。一般に、医療スタッフは、術後の合併症の検出を容易にするべく、患者のバイタルサインをモニターし、排液管を用いている。しかし、バイタルサイン及び排液管のような現在使用されている全ての観察項目は、遅延型のパラメーターである。これらのパラメーターが異常を示すとき、診断は既に遅れている。更に、吻合部１０５及び胃１０３の閉鎖線１０６に近い組織に穿孔が形成されるという危険性が劇的に高くなる。組織灌流をモニターするための手段を確立することが緊急に必要である。
【課題を解決するための手段】
【０００４】
本願明細書中に開示されている実施態様のいくつかは、術後の患者の１つ又は複数の粘膜領域に関連する血中酸素濃度を測定するための装置を提供しようとするものである。
【０００５】
本発明によれば、食道、胃、腸又は結腸の１つ又は複数における少なくとも１つの粘膜領域に関連する血中酸素濃度を検出するために、食道、胃、腸又は結腸いずれか１つ又は複数に挿入するのに適した装置が提供される。この装置は、柔軟で細長い本体と、１つ又は複数の血中酸素濃度検出ユニットとを備える。各血中酸素濃度検出ユニットは、本体に配置された１つ又は複数の血中酸素濃度検出モジュールを有し、前記血中酸素濃度検出モジュールは、該モジュール付近にある１つ又は複数の粘膜領域の血中酸素濃度に関連する１つ又は複数の信号を生成することができる。
【０００６】
本発明の他の特徴及び利点は、添付図面を参照しつつ、以下に記載される好適な実施態様の詳細な説明において明らかになる。
【図面の簡単な説明】
【０００７】
【図１】図１は、食道切除の手順を示す概略図である。
【図２】図２は、１つ又は複数の粘膜領域に関連する血中酸素濃度を検出するための、本発明による装置の好適な第１実施態様の概略部分斜視図である。
【図３】図３は、第１実施態様のマイクロプロセッシングユニットと血中酸素濃度検出ユニットの血中酸素濃度検出モジュールとを示すブロック図である
【図４】図４は、第１実施態様の部分断面図である。
【図５】図５は、第１実施態様による血中酸素濃度検出ユニットの部分斜視図である。
【図６】図６は、術後の患者に対する第１実施態様の使用を示す概略図である。
【図７】図７は、１つ又は複数の粘膜領域に関連する血中酸素濃度を検出するための、本発明による装置の好適な第２実施態様を示す概略部分斜視図である。
【図８】図８は、１つ又は複数の粘膜領域に関連する血中酸素濃度を検出するための、本発明による装置の好適な第３実施態様を示す、図５と同様の部分斜視図である。
【発明を実施するための形態】
【０００８】
本発明の詳細な説明に先立ち、本願明細書の全体を通じて類似の構成要素には同じ参照符号が付されていることに注意されたい。
【０００９】
図２及び図６を参照すると、１つ又は複数の粘膜領域に関連する血中酸素濃度を検出するための、本発明による装置の好適な第１実施態様は、食道切除、胃切除又は同様の手術を受けた患者９００の食道９０１、胃９０２、腸９０３又は結腸（図示せず）のいずれか１つ又は複数の中に挿入するのに適している。この装置は、食道９０１、胃９０２、腸９０３及び結腸の中の前記１つ又は複数における、好ましくは前記器官の吻合部９０４付近の１つ又は複数の粘膜領域に関連する血中酸素濃度を検出することができ、それにより患者９００の術後の状態を医療スタッフが評価することを容易にしている。以下に詳細に説明するような第１実施態様の構造的構成によって、本発明の装置は、連結チューブ７００に接続し、協働して鼻腔栄養チューブ又は排液管として機能することができる。ここで、吻合部９０４は、食道９０１と胃９０２との間、食道９０１と腸９０３との間、食道９０１と結腸との間、胃９０２と腸９０３との間、胃９０２と結腸との間などに存在し得ることに注意されたい。例示のために、以下の記載は、胃９０２を部分的に切除して、胃９０２の残った部分を食道９０１につないだ胃切除後の患者９００に関連して説明する。
【００１０】
図２乃至図５を参照すると、本発明の装置は、柔軟で細長い本体３と、血中酸素濃度検出ユニット４と、マイクロプロセッシングユニット５とを備える。
【００１１】
本体３は、ＰＶＣ（ポリ塩化ビニル）又はシリコンのような、近赤外光及び／又は赤色光の通過を可能にする材料で作ることができる。この実施態様では、本体３が、連結チューブ７００と連結されて鼻腔栄養チューブ又は排液管として機能し得るように筒状の形態を有し、それにより本発明の装置が二重機能を発揮し得るようにしている。
【００１２】
血中酸素濃度検出ユニット４は、フレキシブル回路基板４１と、フレキシブル回路基板４１の同じ側に実装された複数の血中酸素濃度検出モジュール４２と、フレキシブル回路基板４１を介して血中酸素濃度検出モジュール４２に電気的に接続された信号線４３とを有する。
【００１３】
フレキシブル回路基板４１は、薄いプラスチックフィルムで形成することができ、半導体製造技術を用いて、血中酸素濃度検出モジュール４２に電気的に接続された複数の導電トレース（図示せず）を形成することができる。この実施態様では、フレキシブル回路基板４１が、血中酸素濃度検出モジュール４２と共に本体３内に埋め込まれ、血中酸素濃度検出モジュール４２が本体３の長手方向に沿って間隔を置いて配置されているのに対し、信号線４３は、部分的に本体３内に埋め込まれ、その露出した端部がマイクロプロセッシングユニット５に電気的に接続されている。ここで、血中酸素濃度検出モジュール４２の配置は、本発明の他の実施態様では長手方向に限定されるものでないことに注意すべきである。
【００１４】
それぞれの血中酸素濃度検出モジュール４２は、該血中酸素濃度検出モジュール４２付近の１つ又は複数の粘膜領域の血中酸素濃度に関連する１つ又は複数の信号を生成することができる。複数の血中酸素濃度検出モジュール４２を設けることによって、血中酸素濃度検出モジュール４２付近の複数の粘膜領域にそれぞれ関連する複数の信号を生成することができる。
【００１５】
特に、それぞれの血中酸素濃度検出モジュール４２は、該血中酸素濃度検出モジュール４２付近の１つ又は複数の粘膜領域に近赤外光及び／又は赤色光を発することができる１つ又は複数の発光素子４２１と、１つ又は複数の前記信号を生成するように、血中酸素濃度検出モジュール４２付近の前記１つ又は複数の粘膜領域により散乱された／反射された近赤外光及び／又は赤色光を感知することができる１つ又は複数の光学センサー４２２とを有する。ここで例示した第１実施態様では、各血中酸素濃度検出モジュール４２が１つの発光素子４２１と、本体３の長手方向に沿って間隔を置いて配置された３つの光学センサー４２２とを有する。光学センサー４２２により生成された前記信号は、フレキシブル回路基板４５及び信号線４３を介してマイクロプロセッシングユニット５に送られ、その後の分析に供されるが、それについては後述する。
【００１６】
この実施態様では、多数の光学センサー４２２を設けることよって、様々な粘膜領域における血中酸素濃度の測定を行うことはでき、多数の光学センサー４２２を本体３の長手方向に配置することによって、患者９００の消化管の様々な深さにおいて異なる粘膜領域の血中酸素濃度の測定が可能である。
【００１７】
発光素子４２１は、レーザーダイオード、発光ダイオード（ＬＥＤ）等とすることができ、光学センサー４２２はそれぞれシリコンフォトダイオード、アバランシェフォトダイオード、電荷結合素子等とすることができる。近赤外光及び／又は赤色光を感知することによって血中酸素濃度を測定するための技術は、本発明の技術分野において周知であることから、本明細書では説明を簡単化するために、それに関する詳細な説明は省略する。
【００１８】
マイクロプロセッシングユニット５は、本体３の外側に配置され、ハウジング５１と、ハウジング５１内に配置された発光素子駆動モジュール５２、信号受信モジュール５３、マイクロプロセッシングモジュール５４、記憶モジュール５５及び無線通信モジュール５７と、ハウジング５１に実装されかつ該ハウジングから部分的に露出させたコネクターモジュール５６、出力モジュール５８及びオペレーティングモジュール５９とを有する。
【００１９】
発光素子駆動モジュール５２が、信号線４３及びフレキシブル回路基板４１を介して血中酸素濃度検出モジュール４２の発光素子４２１に電気的に接続され、それぞれの発光素子４２１を駆動して近赤外光及び／又は赤色光を発生させることができる。信号受信モジュール５３は、信号線４３及びフレキシブル回路基板４１を介して血中酸素濃度検出モジュール４２の光学センサー４２２に電気的に接続され、光学センサー４２２により生成された信号を受信することができる。マイクロプロセッシングモジュール５４は、発光素子駆動モジュール５２、信号受信モジュール５３、記憶モジュール５５、コネクターモジュール５６、無線通信モジュール５７、出力モジュール５８及びオペレーティングモジュール５９と電気的に接続されている。
【００２０】
マイクロプロセッシングモジュール５４は、発光素子駆動モジュール５２及び信号受信モジュール５３の動作を制御し、発光素子駆動モジュール５２が発光素子４２１を駆動する方法、及び信号受信モジュール５３が光学センサー４２２から前記信号を受信する方法を制御するようにプログラム可能である。別言すれば、マイクロプロセッシングモジュール５４は、発光素子駆動モジュール５２を制御して、特定の１つの血中酸素濃度検出モジュール４２の発光素子４２１を独立して駆動することができ、信号受信モジュール５３を制御して、前記特定の１つの血中酸素濃度検出モジュール４２の特定の１つの光学センサー４２２により生成された信号を受信することができる。信号受信モジュール５３が受信した信号は、次にマイクロプロセッシングモジュール５４に転送され、該モジュールがこの受信した信号を分析して、前記特定の血中酸素濃度検出モジュール４２の前記特定の光学センサー４２２付近の粘膜領域の血中酸素濃度に関連する血中酸素濃度データを生成する。次に、前記血中酸素濃度データは記憶モジュール５５に記憶され、本実施態様では表示画面である出力モジュール５８によって、ユーザーへの通知のために出力される。
【００２１】
ここで注意すべきことは、本発明は、発光素子４２１及び光学センサー４２２を駆動する方法という点から、制限されるべきではないということである。例えば、血中酸素濃度検出モジュール４２の発光素子４２１を駆動して近赤外光及び／又は赤色光を発生させた後、前記特定の血中酸素濃度検出モジュール４２の光学センサー４２２を個々に、発光素子４２１に近い順序に従って順次駆動することができる。
【００２２】
コネクターモジュール５６は、例えば、マイクロプロセッシングモジュール５４をプログラミングするための指示、マイクロプロセッシングモジュール５４による将来のアクセス及び／又は実行のために記憶モジュール５５内に記憶されるべきデータ等の入力のために、コンピューターのような外部装置（図示せず）を電気的に接続するのに適している。無線通信モジュール５７は、遠隔装置、例えば、遠隔式集中型設備（図示せず）と、それらに前記血中酸素濃度データを無線で送るために、無線で接続されるように、マイクロプロセッシングモジュール５４によって制御することができる。オペレーティングモジュール５９は、発光素子駆動モジュール５２、信号受信モジュール５３、記憶モジュール５５、無線通信モジュール５７及び出力モジュール５８への制御をユーザーが得られるように、マイクロプロセッシングモジュール５４を制御するようにユーザーによって操作可能である。この実施態様では、オペレーティングモジュール５９がいくつかのボタン５９１を有するように図示されている。
【００２３】
図３、図５及び図６を参照すると、本発明の装置を使用するために、本体３のマイクロプロセッシングユニット５から遠い側の端部が、患者９００の口又は鼻を介して食道９０１内に挿入され、かつ吻合部９０４により結合された前記器官に向けて更に延長しており、それによって前記血中酸素濃度検出ユニット４の血中酸素濃度検出モジュール４２が、それぞれ前記器官付近の前記粘膜領域近傍に配置されている。図６に示す実施例では、血中酸素濃度検出モジュール４２が食道９０１から吻合部９０４に及び胃９０２に配置されることにより、食道９０１から吻合部９０４に及び胃９０２に所定の距離広がる前記粘膜領域に関連する血中酸素濃度を測定できるように、本体３が食道９０１及び胃９０２内に挿入される。
【００２４】
本体３の患者９００の体内への挿入後、本体３のマイクロプロセッシングユニット５に近い側の端部は、同時に鼻腔栄養チューブ又は排液管として機能するように連結チューブ７００に接続することができる。次に、医療スタッフは、オペレーティングモジュール５９を操作して、マイクロプロセッシングモジュール５４を起動させ、血中酸素濃度の測定を開始することができ、その際に、血中酸素濃度検出モジュール４２の発光素子４２１を駆動して、近赤外光及び／又は赤色光を食道９０１、吻合部９０４及び／又は胃９０２に向けて、それによる散乱／反射のために及びその後に血中酸素濃度検出モジュール４２の光学センサー４２２により感知するために発生させる。次に、マイクロプロセッシングモジュール５４が、前記光学センサーにより生成された前記信号を分析し、光学センサー４２２付近の所望の粘膜領域に関連する血中酸素濃度データを生成する。出力モジュール５８は、医療スタッフが吻合部９０４における及び吻合部９０４に結合された前記器官（即ち、食道９０１及び胃９０２）における粘膜血液送達を評価できるために、獲得した前記血中酸素濃度データをリアルタイムで医療スタッフに通知するように用いることができ、それによりあらゆる関連する異常事態の早期発見を助けている。
【００２５】
本発明の装置は、鼻腔栄養チューブ又は排液管としても機能することから、患者９００の体内に残して、吻合部９０４付近の血中酸素濃度の長期間に亘るモニターリングを実行することができる。加えて、本発明の装置は、挿入／取外しを繰り返し行わないので、患者の不快感が有効に低減され、漏出や移植不全の早期検出の可能性が高められる。
【００２６】
ここで注意すべきことは、第１実施態様では、本体３が、同時に鼻腔栄養チューブ又は排液管として利用可能であるように、筒状に設計されているが、実際には、本発明の本体３は、必ずしも筒状でなくてもよく、例えば中実の薄いストリップ（図７の第２の実施態様に示されるように）に設計できることである。
【００２７】
更に、この実施態様では、血中酸素濃度検出モジュール４２が、フレキシブル回路基板４２に実装されかつそれと電気的に接続され、全部が本体３内に埋め込まれ、フレキシブル回路基板４１に接続された信号線４３を介してマイクロプロセッシングユニット５に電気的に接続されているのに対し、フレキシブル回路基板４１は必ずしも使用する必要がなく、実際には、血中酸素濃度検出モジュール４２は、信号線４３に直接接続しかつ本体３内に埋め込むことができ、信号線４３の一部分を本体３から露出させてマイクロプロセッシングユニット５に電気的に接続させることができる。別の実施例では、血中酸素濃度検出モジュール４２は、本体３の外面と同一平面をなすようにして、該外面内に実装することができる。
【００２８】
更に、第１実施態様の多数の血中酸素濃度検出モジュール４２のそれぞれが、１つの発光素子４２１と、発光素子４２１から異なる間隔で離隔された３つの光学センサー４２２とを有するように記載されている。しかしながら、実際には、各血中酸素濃度検出モジュール４２は、単一の光学センサー４２２と、光学センサー４２２から異なる間隔で離隔された多数の発光素子４２１（図８の第３実施態様に示すように）とを有することができる。それ自体として、本発明の装置は、更に患者９００の消化管における様々な深さの粘膜領域の血中酸素濃度を測定することができる。別の実施例では、患者９００の消化管の所望の深さにおける粘膜領域の血中酸素濃度を測定するために、１つの発光素子４２１と１つの光学センサー４２２とを有する単一の血中酸素濃度検出モジュール４２を設けることができる。
【００２９】
更に、マイクロプロセッシングユニット５は、取り外し可能な部品に構成できることに注意すべきである。
【００３０】
結論として、１つ又は複数の血中酸素濃度検出モジュール４２を坦持する柔軟かつ細長い本体３を設計することによって、本発明は、食道切除後若しくは胃切除後の患者９００又は類似の手術を受けた患者９００の食道９０１、胃９０２、腸９０３及び結腸のいずれか１つ又は複数の中に挿入して延長させ、血中酸素濃度検出モジュール４２付近の１つ又は複数の粘膜領域の血中酸素濃度を長期間にリアルタイムでモニターリングすることを容易にすることができ、それによって、排液管を繰り返し配置し取り外すという不快で潜在的に有害な処置を患者９００に経験させることなく、医療スタッフが患者９００の吻合部９０４の治癒／治癒不全を迅速に診断することができる。更に、本体３を筒状に設計することによって、本発明の装置は、鼻腔栄養チューブ又は排液管として役立てることができ、それはいずれも実用的かつ好都合である。
【００３１】
以上、本発明について最も実用的で好ましいと思われる実施態様に関連して説明したが、本発明は、上述した実施例に限定されるものではなく、そのあらゆる変形及び等価の構成を包含するように、最も広義に解釈される技術的範囲内に含まれるあらゆる構成を含むものと理解される。
【図１】
2014039822.tif 000003
【図２】
2014039822.tif 000004
【図３】
2014039822.tif 000005
【図４】
2014039822.tif 000006
【図５】
2014039822.tif 000007
【図６】
2014039822.tif 000008
【図７】
2014039822.tif 000009
【図８】
2014039822.tif 000010
【外国語明細書】
2014039822000001.pdf